(57)【要約】【課題】排水容器の乾燥を効率的に行うことができ、乾燥時にシンク内に水を流すことができ、かつ乾燥時に室内に臭気が漏れることが防止された排水装置を提供する。【解決手段】該排水容器１０は、略円筒形の本体部１１と、その上部外周面に周設された水路部１２とを有している。該本体部１１の下端に第１の排水管４０が設けられ、トラップ４２に連なっている。該水路部１２に第２の排水管４３の上端が接続され、その下端がトラップ４２の水没部４２ａに接続されている。本体部１１の側面上部に排気管５３が接続され、第１の排水管４０に給気管５１が接続されている。該排水容器１０に蓋３０をし、送風機５０が作動すると、給気管５１から排水容器１０内に空気が供給され、排気管５３から排出される。第２の排水管４３の下端は水没部４２ａに接続されているため、排水容器１０内の臭気が該第２の排水管から室内に漏れることがない。【選択図】図１
2007315123.tif 000002
【特許請求の範囲】
【請求項１】
シンク底面の開口部に設置された排水容器と、該排水容器内に挿抜自在に設置された網籠と、該排水容器の上部に装着される蓋体と、該排水容器の下部の第１の排水口に接続された第１の排水管と、該第１の排水管の下流側に設けられたトラップを有する排水装置であって、
送風機と、
該送風機からの空気を該排水容器に供給する給気管と、
該排水容器内の空気を該トラップの下流に排気するように該排水容器に接続された排気管を有する排水装置において、
該排水容器に対する蓋体装着位置よりも上部から水を流出させるための第２の排水口が設けられ、該第２の排水口が第２の排水管を介して該トラップの水没部分に繋がっているか又は前記トラップとは別の第２のトラップに繋がっており、
第２の排水口の入口部にスクリーンが設けられており、
該給気管は該排気管の該排水容器への接続部よりも下位の該排水容器又は前記第１の排水管に接続されていることを特徴とする排水装置。
【請求項２】
請求項１において、前記給気管は前記第１の排水管に接続されていることを特徴とする排水装置。
【請求項３】
請求項２において、前記第１の排水管に気液分離手段が設けられ、該気液分離手段に前記給気管が接続されていることを特徴とする排水装置。
【請求項４】
請求項１ないし３のいずれか１項において、前記トラップは、前記水没部分の下流端に連なり、該水没部分よりも上位に位置し、かつ該水没部分よりも内径の大きい大径部を有しており、該大径部の頂部付近に前記排気管が接続されていることを特徴とする排水装置。
【請求項５】
請求項１ないし４のいずれか１項において、前記給気管及び排気管の最上位部がシンク底面の開口部よりも上位に配設されていることを特徴とする排水装置。
【請求項６】
請求項１ないし５のいずれか１項において、前記給気管及び排気管の最上位部がシンク上面の溢れ縁よりも上位に配設されていることを特徴とする排水装置。
【請求項７】
請求項５又は６において、前記給気管の最上位部に、該送風機側から排水容器側への空気の流通を許容し、逆方向の流れを阻止する逆止弁が設けられ、
前記排気管の最上位部に、該排水容器側からトラップ側への空気の流通を許容し、逆方向の流れを阻止する逆止弁が設けられていることを特徴とする排水装置。
【請求項８】
請求項１ないし７のいずれか１項において、前記排気管の途中に水排出用の配管の一端が接続され、該配管の他端が前記トラップの水没部に繋がっていることを特徴とする排水装置。
【請求項９】
請求項８において、前記排気管の途中に気液分離手段が設けられ、該気液分離手段に前記配管の前記一端が接続されていることを特徴とする排水装置。
【発明の詳細な説明】
【技術分野】
【０００１】
本発明は、シンク底面の開口部に設置された排水容器と、該排水容器内に設置された網籠と、該排水容器内を乾燥するための送風機を有する排水装置に関する。
【背景技術】
【０００２】
従来、シンク底面の開口部と排水管との間に排水容器を設置し、該排水容器内に網籠を設置して、排水管内にゴミが排出されることを防止している。
【０００３】
特開２００５−１１３６８０号には、シンク底面の開口部と排水管との間に排水容器を設置し、該排水容器に温風管及び排気管を接続し、該温風管から排水容器内に温風を送風し、湿気を含む空気を該排気管から排出して排水容器内の生ゴミを乾燥させる構成が記載されている。当該公報においては、排水容器に蓋を取り付け、該温風管から排水容器内に温風を供給し、湿気を含んだ空気を該排気管から排水管のトラップよりも下流側に排気することにより、排水容器内に溜まった生ゴミの乾燥が行われる。
【０００４】
また、当該公報においては、排水容器のうち蓋の設置位置よりも上部に補助排水管の上端が接続され、該補助排水管の下端が前記排水管のトラップよりも上流側に接続されている。これにより、排水容器の乾燥時にシンク内に水を流しても、水は該補助用排水口から補助排水管を通ってトラップに排出され、排水容器内が水に濡れることが回避される。
【特許文献１】特開２００５−１１３６８０号
【発明の開示】
【発明が解決しようとする課題】
【０００５】
上記特開２００５−１１３６８０号においては、排水容器の上部側に温風管及び排気管が接続されている。このため、温風が排水容器の下部に届き難く、該下部にある生ゴミを乾燥し難いという問題がある。
【０００６】
また、当該公報においては、乾燥時に、排水容器内の臭気が補助排水管を通って室内に漏れ出るという問題がある。
【０００７】
本発明は、排水容器内の生ゴミの乾燥を効率的に行うことができ、乾燥時にシンク内に水を流すことができ、かつ乾燥時に室内に臭気が漏れることが防止された排水装置を提供することを目的とする。
【課題を解決するための手段】
【０００８】
請求項１の排水装置は、シンク底面の開口部に設置された排水容器と、該排水容器内に挿抜自在に設置された網籠と、該排水容器の上部に装着される蓋体と、該排水容器の下部の第１の排水口に接続された第１の排水管と、該第１の排水管の下流側に設けられたトラップを有する排水装置であって、送風機と、該送風機からの空気を該排水容器に供給する給気管と、該排水容器内の空気を該トラップの下流に排気するように該排水容器に接続された排気管を有する排水装置において、該排水容器に対する蓋体装着位置よりも上部から水を流出させるための第２の排水口が設けられ、該第２の排水口が第２の排水管を介して該トラップの水没部分に繋がっているか又は前記トラップとは別の第２のトラップに繋がっており、第２の排水口の入口部にスクリーンが設けられており、該給気管は該排気管の該排水容器への接続部よりも下位の該排水容器又は前記第１の排水管に接続されていることを特徴とするものである。
【０００９】
請求項２の排水装置は、請求項１において、前記給気管は前記第１の排水管に接続されていることを特徴とするものである。
【００１０】
請求項３の排水装置は、請求項２において、前記第１の排水管に気液分離手段が設けられ、該気液分離手段に前記給気管が接続されていることを特徴とするものである。
【００１１】
請求項４の排水装置は、請求項１ないし３のいずれか１項において、前記トラップは、前記水没部分の下流端に連なり、該水没部分よりも上位に位置し、かつ該水没部分よりも内径の大きい大径部を有しており、該大径部の頂部付近に前記排気管が接続されていることを特徴とするものである。
【００１２】
請求項５の排水装置は、請求項１ないし４のいずれか１項において、前記給気管及び排気管の最上位部がシンク底面の開口部よりも上位に配設されていることを特徴とするものである。
【００１３】
請求項６の排水装置は、請求項１ないし５のいずれか１項において、前記給気管及び排気管の最上位部がシンク上面の溢れ縁よりも上位に配設されていることを特徴とするものである。
【００１４】
請求項７の排水装置は、請求項５又は６において、前記給気管の最上位部に、該送風機側から排水容器側への空気の流通を許容し、逆方向の流れを阻止する逆止弁が設けられ、
前記排気管の最上位部に、該排水容器側からトラップ側への空気の流通を許容し、逆方向の流れを阻止する逆止弁が設けられていることを特徴とするものである。
【００１５】
請求項８の排水装置は、請求項１ないし７のいずれか１項において、前記排気管の途中に水排出用の配管の一端が接続され、該配管の他端が前記トラップの水没部に繋がっていることを特徴とするものである。
【００１６】
請求項９の排水装置は、請求項８において、前記排気管の途中に気液分離手段が設けられ、該気液分離手段に前記配管の前記一端が接続されていることを特徴とするものである。
【発明の効果】
【００１７】
本発明の排水装置は、排水容器に対する蓋体装着位置よりも上部から水を流出させるための第２の排水口が設けられ、該第２の排水口が第２の排水管を介して該トラップの水没部分に繋がっているか又は前記トラップとは別の第２のトラップに繋がっている。このため、蓋体を装着した状態でシンク内に水を流すと、該水は第２の排水口を通ってトラップの水没部に排出されることになり、排水容器内の生ごみが水で濡れることがない。また、排水容器内の臭気が、該第２の排水管を通って室内に漏れ出ることが防止される。
【００１８】
また、本発明の排水装置は、第２の排水口の入口部にスクリーンが設けられているため、該第２の排水口から生ゴミ等が排水容器の下流側に排出されることが防止される。
【００１９】
さらに、本発明の排水装置は、給気管の接続部が排気管の接続部よりも下位に接続されているため、空気が網籠内を下方から上方に向って送風される。このため、排水容器内の生ゴミを効率よく乾燥させることができると共に、網籠内の生ゴミ等が送風によって網籠の底面に押し付けられることがなく、網籠の網目の目詰まりが防止される。
【００２０】
本発明において、給気管が第１の排水管に接続されている場合、第１の排水管も乾燥させることができる。この場合、第１の排水管に気液分離手段が設けられ、該気液分離手段に給気管が接続されていてもよい。
【００２１】
本発明において、前記トラップは、前記水没部分の下流端に連なり、該水没部分よりも上位に位置し、かつ該水没部分よりも内径の大きい大径部を有しており、該大径部の頂部付近に前記排気管が接続されていることが好ましい。この場合、トラップ内を流れる排水が排気管内に流入することが防止される。
【００２２】
本発明において、前記給気管及び排気管の最上位部がシンク底面の開口部よりも上位に配設されている場合、該シンク底面まで水位が上昇したとしても、該給気管の最上位部よりも上流側及び該排気管の最上位部よりも下流側に水が流入することが防止される。
【００２３】
特に、該給気管及び排気管の最上位部がシンク上面の溢れ縁よりも上位に配設されている場合、該溢れ縁まで水位が上昇したとしても、該給気管の最上位部よりも上流側及び該排気管の最上位部よりも下流側に水が流入することが防止される。
【００２４】
前記給気管に、該送風機側から排水容器側への空気の流通を許容し、逆方向の流れを阻止する逆止弁が設けられている場合、排水容器内の臭気や排水が該給気管を逆流して送風機側から室内に漏れることが防止される。また、前記排気管に、該排水容器側からトラップ側への空気の流通を許容し、逆方向の流れを阻止する逆止弁が設けられている場合、トラップの下流側から臭気や排水が排水管内を逆流して室内に漏れることが防止される。さらに、これらの逆止弁が前記給気管及び排気管の最上位部に設けられている場合、逆止弁が浸水して汚れることが防止される。
【００２５】
例えば、シンク内に水を溜めた後に一気に排水したときなどのように、シンク内に一気に多量の水を流す場合、該排気管内に水が流入するおそれがある。
【００２６】
本発明において、前記排気管の途中に水排出用の配管の一端が接続され、該配管の他端が前記トラップの水没部に繋がっている場合、この排気管内を流入してきた排水が該水排出用配管を介してトラップに排出される。このため、排気管のうち該水排出用配管よりも下流側が排水で汚れることが防止される。
【００２７】
本発明において、前記排気管の途中に気液分離手段が設けられ、該気液分離手段に前記配管の前記一端が接続されている場合、排気管内に流入した排水がより確実にトラップに排出される。
【発明を実施するための最良の形態】
【００２８】
以下、図面を参照して本発明の実施の形態について詳細に説明する。第１図は実施の形態に係る排水装置が設置されたキッチンを説明する模式的なフロー図、第２図は第１図の排水容器、網籠及び蓋の分解斜視図、第３図は第１図の排水容器の一部切欠斜視図である。第４図は第１図の排水容器において蓋を取り付けていない状態を示す部分断面図、第５図は第１図の排水容器において蓋を閉止することなく取り付けた状態を示す部分断面図、第６図は第１図の排水容器において蓋を閉止した状態を示す部分断面図である。第７図（ａ）は第１図の排水容器の上部の拡大断面図、第７図（ｂ）は第７図（ａ）の排水容器の上部が蓋によって閉止された状態を示す断面図である。
【００２９】
第１図の通り、シンク１の底面２に開口３が設けられている。該開口３に、排水容器１０の上縁が水密に内嵌されている。
【００３０】
後に詳細に説明する通り、該排水容器１０の底部が第１の排水管４０を介してトラップ４２に接続されると共に、該排水容器１０の上部が第２の排水管４３を介してトラップ４２の水没部に接続されている。また、送風機５０が給気管５１及び第１の排水管４０を介して該排水容器１０に接続され、該排水容器１０の上部が排気管５３を介してトラップ４２の水没部に接続されている。
【００３１】
まず、排水容器１０、網籠２０及び蓋３０の構成について説明する。
【００３２】
該排水容器１０は、第１，３図の通り、略円筒形の本体部１１と、該本体部１１の上部外周面に周設された水路部１２とを有している。該本体部１１の下端に第１の排水口１０ａが設けられていると共に、該水路部１２に第２の排水口１０ｂが設けられている。また、本体部１１の側面上部に排気口１０ｃが設けられている。なお、第１図では蓋３０が省略されており、第３図では網籠２０が省略されている。
【００３３】
該水路部１２は、該本体部１１の上部外周面から外側に張り出す棚部１２ａと、該棚部１２ａから起立する起立部１２ｂとからなる。該起立部１２ｂの上端にフランジ部１３が設けられており、該フランジ部１３がシンク１の開口３に水密に内嵌されている。該棚部１２ａの周方向における一部に、下方に深い溝１２ｃが設けられている。該溝１２ｃの下端が前記第２の排水口１０ｂに連通している。
【００３４】
第３，７図の通り、排水容器１０の上部にスクリーン１４が取り付けられている。スクリーン１４は、下側に向かって縮径する略円筒形の傾斜部１４ａと、該傾斜部１４ａの上端から外方に張り出す水平部１４ｂと、該傾斜部１４ａの下端から下方に垂下する垂直部１４ｃとからなる。
【００３５】
第７図の通り、本体部１１の上端に凸部１１ａが周設されており、また、フランジ部１３の上面内周縁に凹部１３ａが周設されている。該凸部１１ａの外側に該スクリーン１４の垂下部１４ｃが外嵌し、また、該凹部１３ａに該スクリーン１４の水平部１４ｂが当接している。
【００３６】
第４図の通り、該本体部１１の上部の内周面に溝１５が設けられている。該溝１５は、後述する蓋３０の凸部３１ｂを案内するためのものであり、本体部１１の内周面に水平に周設された溝部１５ａと、該溝部１５ａから斜め下方に向かう複数条の傾斜部１５ｂとからなる。該溝部１５ａの底面に、上方に向かって突出する突起１５ｃが設けられている。
【００３７】
該本体部１１の外周面のうち該傾斜部１５ｂの下端に相当する位置に、近接リードスイッチ１６が設置されている（第７図）。
【００３８】
該本体部１１内に網籠２０が挿抜自在に設置され、蓋３０が該本体部１１の上部に着脱自在に装着されている。
【００３９】
第２図の通り、該蓋３０は、略円筒状の胴部３１と、該胴部３１の上端を閉止する天板部３２とを有する。該胴部３１には開口３１ａが設けられていると共に、該胴部３１の外周面の下部に円柱状の凸部３１ｂが設けられている。該凸部３１ｂ内には磁石が埋設されている。該天板部３２の側周面にＯリング３２ａが外嵌されている（第７図（ｂ））。
【００４０】
次いで、配管系統について説明する。
【００４１】
該排水容器１０の第１の排水口１０ａに第１の排水管４０の一端が接続され、該排水管４０の他端にトラップ４２が接続されている。該第１の排水管４０の途中に気液分離手段４１が設けられている。また、第２の排水口１０ｂに第２の排水管４３の一端が接続され、該第２の排水管４３の他端が該トラップ４２の水没部４２ａに接続されている。
【００４２】
該トラップ４２の水没部４２ａの下流端に大径部４２ｂが連なっている。該大径部４２ｂは略逆Ｕ字形となっており、上流端が該水没部４２ａの下流端に連なり、下流端が配管を介して図示しない下水道に接続されている。該大径部４２ｂの内径ｚ２は水没部４２ａの内径ｚ１よりも大径になっている。
【００４３】
シンク１の溢れ縁４よりも上位に逆止弁ユニット６０が設置されている。該逆止弁ユニット６０は、第１の逆止弁６１及び第２の逆止弁６２を有している。これら逆止弁６１，６２の各々は、個室内がフラッパ板６３によって区画されたものである。
【００４４】
該第１の逆止弁６１の上流側の接続口が配管を介して送風機５０と接続されている。また、該第１の逆止弁６１の下流側の接続口が給気管５１の一端と接続され、該給気管５１の他端が前記第１の排水管４０の途中に設けられた気液分離手段４１に接続されている。該第１の逆止弁６１は、該送風機５０側から排水容器１０側への空気の流通を許容し、逆方向の流れを阻止するものである。
【００４５】
該気液分離手段４１は、排水流入口４１ａ及び排水流出口４１ｂと、給気管接続口４１ｃとを有する配管であり、該気液分離手段４１の内径ｘ２は排水流入口４１ａの内径ｘ１よりも大径になっている。
【００４６】
該第２の逆止弁６２の上流側の接続口に排気管５３の一端が接続され、該排気管５３の他端が排水容器１０の第３の接続口１０ｃに接続されている。該排気管５３の途中に気液分離手段５４が接続されている。また、該第２の逆止弁６２の下流側の接続口に排気管５６の一端が接続されており、該排気管５６の他端が大径部４２ｂの頂部に接続されている。該第２の逆止弁６２は、上流側の排気管５３から下流側の排気管５６への空気の流通を許容し、逆方向の流れを阻止するものである。
【００４７】
該気液分離手段５４は、排気管５３の上流側との接続口５４ａと、排気管５３の下流側との接続口５４ｂと、水排出用の配管５５との接続口５４ｃとを有する配管であり、該気液分離手段５４の内径ｙ２は接続口５４ａの内径ｙ１よりも大径になっている。該接続口５４ｃに該水排出用の配管５５の一端が接続され、該水排出用の配管５５の他端がトラップ４２の水没部４２ａに接続されている。
【００４８】
このように構成された排水装置の使用方法を次に説明する。
［生ゴミ投入時］
料理時のように多量の生ゴミが発生する際には、第４図の通り、排水容器１０に蓋３０を装着せずに排水装置を使用する。
【００４９】
蓋３０を装着しない状態においてシンク１内に水及び生ゴミを流すと、水及び生ゴミはシンク底面２の開口３から排水容器１０内に流入する。該排水容器１０内に流入した水及び生ゴミのうち、生ゴミは網籠２０内にキャッチされ、水は該網籠２０の網目を通過して、第１の接続口１０ａから第１の排水管４０に流出する。
【００５０】
該第１の排水管４０内の水は気液分離手段４１を通過し、トラップ４２を通って排出される。
【００５１】
ここで、該気液分離手段４１の内径ｘ２は接続口４１ａの内径ｘ１よりも大径であるため、該気液分離手段４１内に流入した水は速やかに気液分離手段４１内を通過して流出される。これにより、排水が接続口４１ｃから給気管５１内に流入することが防止される。また、トラップ４２の大径部４２ｂの内径ｚ２が水没部４２ａの内径ｚ１よりも大径になっており、かつ該大径部４２ｂの頂部に水排出用の配管５６が接続されている。このため、排水が大径部４２ｂから排気管５６に流入することが防止される。
【００５２】
シンク１内に流した水の一部は、スクリーン１４を通過して水路部１２内に流入する。該水路部１２内の水は、棚部１２ａを通って溝１２ｃ内に流入し、さらに第２の接続口１０ｂから第２の排水管４３に流出する。該第２の排水管４３内に流出した水は、トラップ４２の水没部４２ａに排出される。
【００５３】
このように、排水容器１０の上部に第２の排水管４３が設けられているため、網籠２０が生ゴミや汚れ等により目詰まりした場合にあっても、該第２の排水管４３から水が排出される。これにより、シンク１内に水が溜まることが防止される。
【００５４】
［通常使用時］
シンクの通常使用時には、第５図の通り、排水容器１０内に蓋３０を取り付ける。このとき、該蓋３０の凸部３１ｂが、本体部１１の内周面に設けられた溝１５の溝部１５ａに配置されるようにして取り付ける。これにより、該蓋３０の開口３１ａは、本体部１１の上端から露呈する。
【００５５】
なお、この凸部３１ｂは、該溝部１５ａのうち突起１５ｃよりも傾斜部１５ｂから遠い側に配置される。これにより、該凸部３１ｂの水平方向への移動が、該突起１５ｃによって抑止される。このため、流水の勢い等のために意図せずに凸部３１ｂが傾斜部１５ｂ側に移動し、蓋３０が後述する第６図の状態に閉止することが防止される。
【００５６】
この状態でシンク１内に水を流すと、シンク底面２の開口３から排水容器１０内に流入し、さらに蓋３０の開口３１ａから本体部１１内に流入する。該本体部１１内に流入した水は網籠２０内に流入し、該網籠２０の網目を通過して、第１の接続口１０ａから第１の排水管４０に流出する。
【００５７】
該第１の排水管４０内の水は気液分離手段４１を通過し、さらにトラップ４２を通って排出される。
【００５８】
シンク１内に流した水の一部は、スクリーン１４を通過して水路部１２内に流入する。該水路部１２内の水は、棚部１２ａを通って溝１２ｃ内に流入し、第２の接続口１０ｂから第２の排水管４３に流出する。該第２の排水管４３内に流出した水は、該第２の排水管４３を通ってトラップ４２の水没部４２ａに排出される。
【００５９】
なお、シンク１内に大量の水を一度に流した場合などには、流した水の一部はスクリーン１４を通過して排気管５３内に流入し、さらに気液分離手段５４に流入する。該気液分離手段５４に流入した水は、水排出用の配管５３を介してトラップ４２の水没部４２ａに排出される。
【００６０】
このように、通常洗浄時においても、上記生ゴミ投入時の場合と同様、シンク１内に流した水が第１の排水管４０及び第２の排水管４３を通って排出される。また、排水容器１０に蓋３０を装着した状態で該蓋３０の開口３１ｂから排水容器１０内に水を流すことができるため、蓋３０の置き場所に困ることがない。さらに、該本体部１１の上端に蓋３０が装着されているため、コップやスプーン等の食器が誤って本体部１１内に流れてしまうことが防止される。
【００６１】
また、排気管５３の途中に気液分離手段５４が設けられているため、排気管５３の該気液分離手段５４よりも下流側に水が流入することが防止される。このため、排気管５３のうち該気液分離手段５４よりも下流側が汚れたり、第２の逆止弁６２のフラッパ弁６３が水で汚れて弁機能が低下したりすることがない。また、逆止弁ユニット６０がシンク１の溢れ縁４よりも上位に設けられているため、逆止弁ユニット６０が浸水して弁機能が低下することが防止される。
【００６２】
［乾燥時］
第６図の通り、生ゴミの乾燥時には、蓋３０を閉止する。この蓋３０を閉止するには、上記通常使用時の状態において蓋３０を時計周りに回転させる。これにより、蓋３０の凸部３１ｂが溝１５の傾斜部１５ｂに案内され、蓋３０が下方に移動する。天板部３２の側周面が本体部１１の上端よりも下位まで移動し、該側周面に外嵌されたＯリング３２ａが本体部１１の内周面に押圧された状態で、該凸部３１ｂが傾斜部１５ｂの先端部に達し、蓋３０の回転が停止する。
【００６３】
このようにして蓋３０が閉止した状態において、凸部３１ｂに埋設された磁石と近接リードスイッチ１６とが対面し、送風機５０が作動する。これにより、空気が送風機５０から第１の逆止弁６１及び給気管５１を介して気液分離手段４１に流入し、さらに第１の排水管４０を通って排水容器１０内に供給される。該空気は網籠２０の底面から該網籠２０内を上方に移動し、次いで、空気が排気管５３に排気される。
【００６４】
この空気はこの排気管５３を通って気液分離手段５４に流入し、さらに給気管５３、第２の逆止弁６２及び配管５６を通り、大径部４２ｂに排気される。
【００６５】
このように、送風機５０から供給される空気は、網籠２０の下方から上方にわたって流れるため、網籠２０の全体が乾燥される。また、空気が上方に向かって流れるため、生ゴミや汚れは網籠２０の底面から離れる方向に押し上げられることになる。このため、生ゴミや汚れが網籠２０の網目に押し付けられて目詰まりすることが防止される。
【００６６】
第２の排水管４３はトラップ４２の水没部４２ａに接続されている。このため、乾燥時に排水容器１０内の臭気が、第１の排水管４０及び該第２の排水管４３を通って室内に漏れることがない。
【００６７】
上記実施の形態は本発明の一例であり、本発明は上記実施の形態に限定されるものではない。例えば、給気管５１は第１の排水管４０に接続したが、排水容器１０の底部に接続してもよい。
【００６８】
近接リードスイッチに代えて、送風機の操作スイッチをシンクの上面等に設けてもよい。また、これら近接リードスイッチや操作スイッチがＯＮとされてから一定時間経過後に送風機が作動するようにしてもよい。この場合、網籠を一定時間放置して網籠内の水切りがなされてから送風機による乾燥が行われるため、乾燥効率が高くなる。なお、この場合、近接リードスイッチや操作スイッチがＯＮとなったことを知らせるＬＥＤを点灯させたり警報音を発生させたりするのが好ましい。
【００６９】
上記実施の形態では第２の排水管４３の他端側をトラップ４２の水没部４２ａに接続したが、第２の排水管４３に専用のトラップを設けてもよい。
【００７０】
上記実施の形態では排水容器とシンクは別体であったが、ステンレスの打抜きやプレス加工等により、シンクと排水容器を一体化してもよい。
【００７１】
第８図は、異なる実施の形態に係る排水装置が設置されたキッチンの通常時の状態を説明する模式的なフロー図である。第８図では、第１の逆止弁７１及び第２の逆止弁６２をシンクの底面２よりも上位かつ溢れ縁４よりも低位に配置している。また、第１の逆止弁７１としてフロート弁を用いている。このフロート弁は、給気管５１から該逆止弁７１内に水が浸入すると浮子７１ａが上昇して該浮子７１ａの上方の弁座部７１ｂに着座し、水の浸入がなくなると該浮子７１ａが下降して弁座部７１ｂから離座する構成になっている。その他の構成は第１図と同様であり、同一符号は同一部分を示している。
【００７２】
この排水装置にあっては、第１，２の逆止弁７１，６２が溢れ縁４よりも下位にあるため、溢れ縁４の一部が突出することがない。このため、該溢れ縁４がすっきりとし、美観に優れたものになる。
【００７３】
また、シンク１内に一気に多量の水を流す等により、第１の排水管４０内を流れる水が気液分離手段４１から給気管５１内に逆流し、該給気管５１内の水位がシンク１の底面２よりも上昇すると、第１の逆止弁７１内の浮子７１ａが水面に浮かんで上昇し、該浮子７１ａの上部の弁体部が弁座部７１ｂに着座する。これにより、水がさらに逆流して送風機５０にまで達し、該送風機５０が故障することが防止される。
【図面の簡単な説明】
【００７４】
【図１】実施の形態に係る排水装置が設置されたキッチンの通常時の状態を説明する模式的なフロー図である。
【図２】第１図の排水容器の分解斜視図である。
【図３】第１図の排水容器の一部切欠斜視図である。
【図４】第１図の排水容器において蓋を取り付けていない状態を示す部分断面図である。
【図５】第１図の排水容器において蓋を閉止することなく取り付けた状態を示す部分断面図である。
【図６】第１図の排水容器において蓋を閉止した状態を示す部分断面図である。
【図７】（ａ）は第１図の排水容器の上部の拡大断面図、（ｂ）は（ａ）の排水容器に蓋が装着された状態を示す断面図である。
【図８】異なる実施の形態に係る排水装置が設置されたキッチンの通常時の状態を説明する模式的なフロー図である。
【符号の説明】
【００７５】
１  シンク
３  開口
４  溢れ縁
１０  排水容器
１０ａ  第１の排水口
１０ｂ  第２の排水口
１０ｃ  
１１  本体部
１２  水路部
１４  スクリーン
２０  網籠
４０  第１の排水管
４１，５４  気液分離手段
４２  トラップ
４２ａ  水没部
４２ｂ  大径部
４３  第２の排水管
５０  送風機
５１  給気管
５３  排気管
６０  逆止弁ユニット
６１，７１  第１の逆止弁
６２，７２  第１の逆止弁
【図１】
2007315123.tif 000003
【図２】
2007315123.tif 000004
【図３】
2007315123.tif 000005
【図４】
2007315123.tif 000006
【図５】
2007315123.tif 000007
【図６】
2007315123.tif 000008
【図７】
2007315123.tif 000009
【図８】
2007315123.tif 000010